(57)【要約】【課題】特別な設備を要することなく必要な電界強度を確保することのできるエレベータの遠隔監視装置の提供。【解決手段】公衆無線通信網を介して外部と接続可能な無線通信機７をエレベータの乗場に設置されるインジケータボックス４内に収納する。一般に電波状態に比較的優れたエレベータの乗場に設置されるインジケータボック４に無線通信機７を収納することにより、良好な通信に必要な電波の電界強度を得ることができる。また、無線通信機本体とアンテナ部を分離することなくそれぞれをインジケータボックス４に収納することから、信号強度の減衰の恐れがなく良好な通信を実現できる。【選択図】図１
2005035737.tif 000002
【特許請求の範囲】
【請求項１】
エレベータが設置されるビルに備えられ、公衆無線通信網を介して外部と接続可能な無線通信機を有し、エレベータの遠隔監視および診断を行なうエレベータの遠隔監視装置において、
前記無線通信機をエレベータの乗場に設置されるインジケータボックス内に収納したことを特徴とするエレベータの遠隔監視装置。
【請求項２】
前記無線通信機の動作状態および電波の受信電界強度を表示する表示手段を前記インジケータボックス内に備えたことを特徴とする請求項１記載のエレベータの遠隔監視装置。
【請求項３】
停電時に前記無線通信機に電力を供給する電池を前記インジケータボックス内に備えたことを特徴とする請求項１記載のエレベータの遠隔監視装置。
【請求項４】
前記無線通信機の動作状態および電波の受信電界強度を表示する表示手段を前記インジケータボックスの外部に備えたことを特徴とする請求項１記載のエレベータの遠隔監視装置。
【発明の詳細な説明】
【技術分野】
【０００１】
本発明は、エレベータの遠隔監視装置に係り、特に、公衆無線通信網を用いてエレベータを遠隔から監視および診断するエレベータの遠隔監視装置に関する。
【背景技術】
【０００２】
一般に、公衆無線通信網を用いたエレベータの遠隔監視装置にあっては、ＰＨＳ端末等の無線通信機をエレベータの機械室内に設置している。
【０００３】
また、従来、無線通信機本体からアンテナ部を分離し、無線通信機本体を機械室に設置するとともに、アンテナ部をエレベータの乗場のインジケータボックス内に設置するものが提案されている。（例えば、特許文献１参照。）。
【特許文献１】特開２００３−３４４７２号公報（段落番号０００９−００１２、第１図）
【発明の開示】
【発明が解決しようとする課題】
【０００４】
ところで、いわゆる機械室レスエレベータにあって、無線通信機は設置スペースの観点からすると昇降路内に取付けることが望ましいが、昇降路内はコンクリートと鋼鉄製扉に囲まれた空間であることから、波長の短い電波は減衰、遮断され、必要とする電界強度が得られないという問題がある。
【０００５】
また、前述した従来のものでは、無線通信機本体と配線を介して接続されたアンテナ部をインジケータボックス内に設置することにより必要となる電界強度を得るようにしているが、配線の引き伸ばし距離により信号強度が減衰してしまうという問題があるとともに、このような信号強度の減衰を抑止するため伝送特性に優れた配線を使用した場合、コストが嵩むという問題があった。
【０００６】
本発明はこのような従来技術における実情に鑑みてなされたもので、その目的は、特別な設備を要することなく必要な電界強度を確保することのできるエレベータの遠隔監視装置を提供することにある。
【課題を解決するための手段】
【０００７】
この目的を達成するために本発明の請求項１に係る発明は、エレベータが設置されるビルに備えられ、公衆無線通信網を介して外部と接続可能な無線通信機を有し、エレベータの遠隔監視および診断を行なうエレベータの遠隔監視装置において、前記無線通信機をエレベータの乗場に設置されるインジケータボックス内に収納した構成にしてある。
【０００８】
本発明の請求項１に係る発明によれば、一般に電波状態に比較的優れたエレベータの乗場に設置されるインジケータボックスに無線通信機を収納することにより、良好な通信に必要な電波の電界強度を得ることができる。また、無線通信機本体とアンテナ部を分離することなくそれぞれをインジケータボックスに収納することから、従来のように配線を要することがなく、したがって信号強度の減衰の恐れがなく良好な通信を実現できる。
【０００９】
また、本発明の請求項２記載に係る発明は、前記無線通信機の動作状態および電波の受信電界強度を表示する表示手段を前記インジケータボックス内に備えた構成にしてある。
【００１０】
本発明の請求項２に係る発明によれば、インジケータボックス内に備えられた表示手段により無線通信機の動作状態および電波の受信電界強度を確認することができることから、受信位置が数センチずれるだけで電界強度が変化する波長の短い無線電波を用いた無線通信機の取付けを容易に行なうことができる。
【００１１】
さらに、本発明の請求項３記載に係る発明は、停電時に前記無線通信機に電力を供給する電池を前記インジケータボックス内に備えた構成にしてある。
【００１２】
本発明の請求項３に係る発明によれば、無線通信機に電力を供給する電池を乗場のインジケータボックス内に備えることにより、停電時に通信に必要な電力を供給できるとともに、例えば昇降路内に入ることなくその交換を行なうことを可能とし、保守作業の簡易化を図ることができる。
【００１３】
さらにまた、本発明の請求項４記載に係る発明は、前記無線通信機の動作状態および電波の受信電界強度を表示する表示手段を前記インジケータボックスの外部に備えた構成にしてある。
【００１４】
本発明の請求項４に係る発明によれば、インジケータボックスの外部に備えられた表示手段により無線通信機の動作状態および電波の受信電界強度を確認することができることから、受信位置が数センチずれるだけで電界強度が変化する波長の短い無線電波を用いた無線通信機の取付けを容易に行なうことができる。
【発明の効果】
【００１５】
本発明によれば、一般に電波状態に比較的優れたエレベータの乗場に設置されるインジケータボックに無線通信機を収納することにより、良好な通信に必要な電波の電界強度を得ることができ、したがって、安全上、また保安上重要な情報の送受信を行なうエレベータの遠隔監視装置の精度、信頼性の向上を図ることができる。また、無線通信機本体とアンテナ部を分離することなくそれぞれをインジケータボックスに収納することから、信号強度の減衰の恐れがなく良好な通信を実現できる。
【発明を実施するための最良の形態】
【００１６】
以下、本発明のエレベータの遠隔監視装置の実施の形態を図に基づいて説明する。
【００１７】
図１はエレベータの遠隔監視装置の一実施形態を示す構成図、図２はインジケータボックスの斜視図、図３はインジケータボックスの正面図、図４はインジケータボックスが建屋壁に埋設された状態を示す部分断面図である。
【００１８】
エレベータは図１に示すように、ビル内に形成された昇降路１ａを昇降する乗かご１と、この乗かご１とテールコード２を介し接続され、乗かごの運行を制御する制御盤３と、各階床のエレベータの乗場に設けられ、乗場呼び登録およびかご位置表示を行なうインジケータボックス４とが設けられている。
【００１９】
そして、本実施形態の遠隔監視装置は、制御盤３の近傍に配設され、エレベータの異常状態の監視および性能の劣化等を診断する端末手段５を有するとともに、この端末手段５と通信線６を介して接続される無線通信機７がインジケータボックス４内に収納されている。また、インジケータボックス４は図２に示すように、パネル４ａおよびケース４ｂから成っているとともに、パネル４ａは電波の通過性の良い素材、例えば樹脂で形成され、かつケース４ｂは鋼板にて形成されている。さらに、インジケータボックス４内には、停電時に無線通信機４に電力を供給する図示しない電池が備えられている。さらにまた、前記のパネル４ａは、無線通信機７の動作状態および電波の受信電界強度を表示可能な表示手段４ａ１、および乗場呼びを登録するための乗場呼び釦４ａ２を備えている。なお、無線通信機７は、ビルにあって電界強度の強い階床を選んで取付けることは言うまでもなく、またいずれの階床のインジケータボックス４にも収納できるものである。
【００２０】
また、無線通信機７は図３、４に示すように、ケース４ｂに収納されるとともに、パネル４ａにより覆われて建屋壁に埋設されることにより、第三者によるいたずら、破損および盗難を防ぐことができる。
【００２１】
本実施形態のエレベータの遠隔監視装置にあって、例えば端末手段５から通信線６を介して無線通信機７に信号が送られると、無線通信機７はあらかじめ定められる周波数で電波を出力し、図示しない公衆無線通信網との接続を確立し、外部、例えば統括して複数のエレベータを監視する監視センタへと信号を送信する。
【００２２】
このように構成した実施形態では、一般に電波状態に比較的優れたエレベータの乗場に設置されるインジケータボック４に無線通信機７を収納することにより、良好な通信に必要な電波の電界強度を得ることができる。また、従来のように無線通信機本体とアンテナ部を分離することなくそれぞれをインジケータボックス４に収納することから、信号強度の減衰の恐れがなく良好な通信を実現できる。さらに、無線通信機７に電力を供給する電池を乗場のインジケータボックス４内に備えることにより、停電時に通信に必要な電力を供給できるとともに、例えば昇降路内に入ることなくその交換を行なうことを可能とし、保守作業の簡易化を図ることができる。さらにまた、パネル４ａの表示手段４ａ１により無線通信機７の動作状態および電波の受信電界強度を確認することができることから、受信位置が数センチずれるだけで電界強度が変化する波長の短い無線電波を用いた無線通信機の取付けを容易に行なうことができる。
【００２３】
なお、本実施形態では無線通信機７の動作状態および電波の受信電界強度を表示する表示手段４ａ１をインジケータボックス４の外部、すなわちパネル４ａに設けたが、本発明はこれに限らず、例えば表示手段をインジケータボックス４内に備えることもできる。また、前述した公衆無線通信網と接続可能な無線通信機７とは、ＰＨＳ端末、ＰＤＣ端末、およびｃｄｍａ端末等から成るものである。
【図面の簡単な説明】
【００２４】
【図１】エレベータの遠隔監視装置の一実施形態を示す構成図である。
【図２】インジケータボックスの斜視図である。
【図３】インジケータボックスの正面図である。
【図４】インジケータボックスが建屋壁に埋設された状態を示す部分断面図である。
【符号の説明】
【００２５】
１  乗かご
２  テールコード
３  制御盤
４  インジケータボックス
４ａ  パネル
４ａ１  表示手段
４ａ２  乗場呼び釦
４ｂ  ケース
５  端末手段
６  通信線
７  無線通信機
【図１】
2005035737.tif 000003
【図２】
2005035737.tif 000004
【図３】
2005035737.tif 000005
【図４】
2005035737.tif 000006